(57)【特許請求の範囲】
【請求項１】
電源スイッチに接続されており、前記電源スイッチがオンされた場合に複数の発光素子に電流を供給する直流電源回路が実装されている第１基板とは異なる第２基板に実装されている制御装置であって、
前記複数の発光素子のうち、前記電流が供給される発光素子を切り替えるためのスイッチング回路と、
前記直流電源回路から供給される電流又は電圧を検出する検出回路と、
前記電源スイッチが一時的にオフされることで、前記検出回路で検出される前記電流又は電圧が前記電源スイッチがオンの場合の値より低くなった場合に、前記スイッチング回路を制御することで、前記複数の発光素子のうち、前記電流が供給される発光素子を切り替える制御回路とを備える
発光制御装置。
【請求項２】
前記発光制御装置は、前記複数の発光素子と異なる基板に実装されている
請求項１記載の発光制御装置。
【請求項３】
前記第２基板は、前記第１基板に設けられている接続部品に接続される
請求項２記載の発光制御装置。
【請求項４】
請求項１記載の前記発光制御装置と、
前記発光制御装置と同一の基板に実装されている前記複数の発光素子とを備える
発光モジュール。
【請求項５】
請求項１記載の前記発光制御装置と、
前記複数の発光素子と、
前記発光制御装置及び前記複数の発光素子が取り付けされているベース部材と、
前記ベース部材に取り付けされ、前記発光制御装置及び前記複数の発光素子を覆う透光性のカバー部材とを備える
発光ユニット。
【請求項６】
請求項１記載の前記発光制御装置と、前記直流電源回路と、前記複数の発光素子とを備える
照明器具。
【発明の詳細な説明】
【技術分野】
【０００１】
本発明は、発光制御装置、発光モジュール、発光ユニット及び照明器具に関する。
【背景技術】
【０００２】
例えば、壁スイッチなどの電源スイッチを連続的にオンからオフ、オンと切り替えることで、発光させる発光素子を切り替える技術が知られている（例えば、特許文献１参照）。
【先行技術文献】
【特許文献】
【０００３】
【特許文献１】特許第５４２０１０６号公報
【発明の概要】
【発明が解決しようとする課題】
【０００４】
特許文献１の技術では、直流電源回路の前段の電圧を検出することにより、電源スイッチのオン及びオフが検出される。この場合、直流電源回路の変更が必要になり、汎用の直流電源回路を用いることができないという課題がある。具体的には、上記電圧を検出するための検出回路が追加で必要となる。また、専用ＩＣ又はマイクロコンピュータが必要となる。また、このように直流電源回路の変更が必要になることで開発工数が増加するという課題もある。
【０００５】
そこで、本発明は、直流電源回路に変更を行うことなく、電源スイッチの連続切り替えを検出できる発光制御装置、発光モジュール、発光ユニット又は照明器具を提供することを目的とする。
【課題を解決するための手段】
【０００６】
本発明の一態様に係る発光制御装置は、電源スイッチに接続されており、前記電源スイッチがオンされた場合に複数の発光素子に電流を供給する直流電源回路が実装されている第１基板とは異なる第２基板に実装されている制御装置であって、前記複数の発光素子のうち、前記電流が供給される発光素子を切り替えるためのスイッチング回路と、前記直流電源回路から供給される電流又は電圧を検出する検出回路と、前記電源スイッチが一時的にオフされることで、前記検出回路で検出される前記電流又は電圧が前記電源スイッチがオンの場合の値より低くなった場合に、前記スイッチング回路を制御することで、前記複数の発光素子のうち、前記電流が供給される発光素子を切り替える制御回路とを備える。
【発明の効果】
【０００７】
本発明は、直流電源回路に変更を行うことなく、電源スイッチの連続切り替えを検出できる発光制御装置、発光モジュール、発光ユニット又は照明器具を提供できる。
【図面の簡単な説明】
【０００８】
【図１】図１は、実施の形態１に係る照明器具の構成例を示す図である。
【図２】図２は、実施の形態１に係る照明器具の動作を示すタイミングチャートである。
【図３】図３は、実施の形態１の変形例１に係る照明器具の構成例を示す図である。
【図４】図４は、実施の形態１の変形例２に係る照明器具の構成例を示す図である。
【図５】図５は、実施の形態１の変形例３に係るリセット回路の構成例を示す図である。
【図６】図６は、実施の形態１の変形例３に係るリセット回路の動作を示す図である。
【図７】図７は、実施の形態２に係る発光モジュールの構成を示す図である。
【図８】図８は、実施の形態２に係る発光モジュールの外観を示す平面図である。
【図９】図９は、実施の形態２に係る発光モジュールの断面図である。
【図１０】図１０は、実施の形態２に係る発光モジュールの別の例の外観を示す平面図である。
【図１１】図１１は、実施の形態２に係る発光制御装置の構成を示す図である。
【図１２】図１２は、実施の形態２に係る発光制御装置の接続関係を示す模式図である。
【図１３】図１３は、実施の形態２に係る発光制御装置の接続例を示す模式図である。
【図１４】図１４は、実施の形態２に係る発光ユニットの外観を示す模式図である。
【図１５】図１５は、実施の形態２に係る発光ユニットの分解斜視図である。
【図１６】図１６は、実施の形態に係る照明器具の外観を示す模式図である。
【発明を実施するための形態】
【０００９】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態１）
本実施の形態では、本発明に係る照明器具及び照明装置の基本的な構成を説明し、後述する実施の形態２において、これらの実装形態について説明する。
【００１２】
［照明器具の構成］
まず、本実施の形態に係る照明器具１００の構成を説明する。図１は、本実施の形態に係る照明器具１００の構成示す図である。図１に示すように、照明器具１００は、照明装置１０１と、複数の発光素子１０２とを備える。
【００１３】
照明装置１０１は、商用電源１０３からの電力を用いて複数の発光素子１０２を点灯する。また、照明装置１０１と商用電源１０３の間には、壁スイッチ等の電源スイッチ１０４が接続されている。つまり、電源スイッチ１０４のオン及びオフに基づき、商用電源１０３から照明装置１０１への電力供給のオン及びオフが切り替えられることで、発光素子１０２への電力供給のオン及びオフが切り替えられる。
【００１４】
この照明装置１０１は、直流電源回路１１１と、スイッチング回路１１２と、検出回路１１３と、制御回路１１４と、制御電源回路１１５と、コンデンサＣ１とを含む。
【００１５】
直流電源回路１１１は、商用電源１０３から供給される交流電力を直流電力に変換し、得られた直流電力を用いて、一定電流を生成する回路であり、例えば、ＡＣ／ＤＣコンバータ及びＤＣ／ＤＣコンバータを含む。また、直流電源回路１１１で生成された一定電流は、複数の発光素子１０２に供給される。
【００１６】
コンデンサＣ１は、直流電源回路１１１の出力端子に接続されており、直流電源回路１１１により生成された一定電流を平滑化するために用いられる容量素子である。なお、図１では、コンデンサＣ１は、直流電源回路１１１の外に設けられているが、直流電源回路１１１に含まれてもよい。
【００１７】
発光素子１０２は、固体発光素子であり、例えば、ＬＥＤ（Ｌｉｇｈｔ  Ｅｍｉｔｔｉｎｇ  Ｄｉｏｄｅ）である。また、複数の発光素子１０２は、発光グループＬＥＤ１及びＬＥＤ２のいずれかに属する。例えば、発光グループＬＥＤ１に属する発光素子１０２と、発光グループＬＥＤ２に属する発光素子１０２とは発光色（色温度）が異なる。また、各発光グループに属する複数の発光素子１０２は直列に接続される。
【００１８】
スイッチング回路１１２は、発光グループＬＥＤ１及びＬＥＤ２のうち、電流が供給される発光グループを切り替える。つまり、スイッチング回路１１２は、複数の発光素子１０２のうち、電流が供給される発光素子１０２を切り替える。このスイッチング回路１１２は、スイッチング素子Ｑ１及びＱ２と、抵抗Ｒ１〜Ｒ４とを含む。
【００１９】
スイッチング素子Ｑ１及びＱ２は、発光グループＬＥＤ１及びＬＥＤ２のうち、電流が供給される発光グループを切り替えるためのスイッチング素子であり、例えばＭＯＳＦＥＴである。スイッチング素子Ｑ１は、発光グループＬＥＤ１と直列に接続され、スイッチング素子Ｑ２は、発光グループＬＥＤ２と直列に接続される。なお、抵抗Ｒ１及びＲ２は、瞬時的な高電流を抑制するための抵抗であり、抵抗Ｒ３及びＲ４は、浮遊容量対策としてスイッチング素子Ｑ１及びＱ２のゲート電圧をＧＮＤレベルに固定するための抵抗である。
【００２０】
検出回路１１３は、直流電源回路１１１から供給される電流Ｉ０を検出するための検出回路である。言い換えると、検出回路１１３は、複数の発光素子１０２に流れる電流Ｉ０を検出する。この検出回路１１３は、抵抗Ｒ５及びＲ６と、コンデンサＣ２とを備える。検出回路１１３は、発光素子１０２に流れる電流に相当する抵抗Ｒ５に流れる検出電流Ｉ０を検出電圧Ｖ１に変換する。なお、抵抗Ｒ６及びコンデンサＣ２は、ローパスフィルタとして機能し、短い時間の瞬時的な停電や外来ノイズに対して予期せぬ切替動作が生じることを防ぐ。
【００２１】
制御回路１１４は、電源スイッチ１０４が一時的にオフされることで、検出回路１１３で検出される電流Ｉ０が電源スイッチ１０４がオンの場合の値（例えば予め定められた基準値）より低くなった場合に、スイッチング回路１１２を制御することで、複数の発光素子１０２のうち、電流が供給される発光素子１０２を切り替える。具体的には、制御回路１１４は、複数の発光グループＬＥＤ１及びＬＥＤ２のうち、電流が供給される発光グループを切り替える。この制御回路１１４は、比較回路１１６と、順序回路１１７とを含む。
【００２２】
比較回路１１６は、検出電圧Ｖ１と、予め定められた基準電圧Ｖｒｅｆとを比較し、比較結果を示す比較結果信号Ｓ１を出力する。例えば、比較回路１１６は、定常時（検出電流Ｉ０が基準値より高い場合）には、ローレベルの信号Ｓ１を出力し、検出電流Ｉ０が基準値より低い場合には、ハイレベルの信号Ｓ１を出力する。この比較回路１１６は、比較器ＣＯＭ１を含む。比較器ＣＯＭ１は、検出電圧Ｖ１と基準電圧Ｖｒｅｆとを比較し、比較結果を示す信号Ｓ１を出力する。なお、抵抗Ｒ７により比較回路１１６のヒステリシス特性が実現される。
【００２３】
順序回路１１７は、比較結果信号Ｓ１の変化に基づき、出力信号Ｓ２及びＳ３の論理値を反転する。この順序回路１１７は、フリップフロップＦＦ１を備える。具体的には、順序回路１１７は、比較結果信号Ｓ１の立ち上がりエッジで出力信号Ｓ２及びＳ３の論理値を反転する。なお、出力信号Ｓ２は、出力信号Ｓ３の反転信号である。この出力信号Ｓ２はスイッチング素子Ｑ１のゲート端子に供給され、出力信号Ｓ３は、スイッチング素子Ｑ２のゲート端子に供給される。
【００２４】
制御電源回路１１５は、電圧Ｖ０から、スイッチング回路１１２、検出回路１１３及び制御回路１１４の電源電圧として用いられる電源電圧ＶＣＣを生成するとともに、基準電圧Ｖｒｅｆを生成する。この制御電源回路１１５は、ダイオードＤ１と、ツェナーダイオードＺＤ１と、抵抗Ｒ８〜Ｒ１０と、コンデンサＣ３及びＣ４とを備える。制御電源回路１１５は、ツェナーダイオードＺＤ１の降伏電圧に相当する電圧を電源電圧ＶＣＣとして出力する。また、抵抗Ｒ８と抵抗Ｒ９とで電源電圧ＶＣＣが分圧されることにより基準電圧Ｖｒｅｆが生成される。
【００２５】
［照明器具の動作］
以下、本実施の形態に係る照明器具１００の動作を説明する。本実施の形態に係る照明器具１００では、ユーザが電源スイッチ１０４を、オン状態から、オフ、オンと短時間で切り替えることで、点灯する発光グループが切り替わる。つまり、ユーザは、電源スイッチ１０４の２回の操作により照明器具１００の発光色を切り替えることができる。
【００２６】
図２は、照明器具１００の動作を示すタイミングチャートである。この例では、時刻ｔ１より前の状態において、信号Ｓ２がハイレベルであり、信号Ｓ３がローレベルである。これにより、発光グループＬＥＤ１が点灯しており、発光グループＬＥＤ２が消灯している。この状態において、電源スイッチ１０４が時刻ｔ１においてオフされ、その後時刻ｔ３でオンされる。
【００２７】
時刻ｔ１において電源スイッチ１０４がオフされると、それに伴い、直流電源回路１１１の出力が停止し、コンデンサＣ１の電圧Ｖ０が徐々に減少する。この出力電圧Ｖ０の減少に伴い、発光素子１０２に流れる電流Ｉ０も減少し、これにより検出電圧Ｖ１が減少する。なお、この段階では、出力電圧Ｖ０の減少が軽微であるので電源電圧ＶＣＣは減少しない。よって、制御回路１１４は、通常通り動作する。つまり、制御回路１１４は、電源スイッチ１０４がオフされた際に、コンデンサＣ１及びＣ３の残留電荷を用いて動作する。
【００２８】
時刻ｔ２において検出電圧Ｖ１が基準電圧Ｖｒｅｆより低くなると、信号Ｓ１がローレベルからハイレベルに変化する。これにより、信号Ｓ２がハイレベルからローレベルに、信号Ｓ３がローレベルからハイレベルにそれぞれ変化することで、電流が供給される発光グループが発光グループＬＥＤ１からＬＥＤ２に切り替えられる。
【００２９】
また、時刻ｔ３において電源スイッチ１０４がオンされると、それに伴い、直流電源回路１１１が定電流出力を開始し、電圧Ｖ０が上昇する。これにより発光素子１０２に流れる電流Ｉ０も増加し、検出電圧Ｖ１も増加する。
【００３０】
時刻ｔ４において検出電圧Ｖ１が基準電圧Ｖｒｅｆより高くなると、信号Ｓ１がハイレベルからローレベルに変化するが、フリップフロップＦＦ１は状態を保持し、出力信号Ｓ２及びＳ３は変化しない。
【００３１】
このように、ユーザが電源スイッチ１０４を、オン状態から、オフ、オンと短時間で切り替えることで、点灯する発光グループが切り替わる。
【００３２】
時刻ｔ５〜ｔ６においても同様の動作が行われ、電流が供給される発光グループが発光グループＬＥＤ２からＬＥＤ１に切り替えられる。また、時刻ｔ７〜ｔ８の動作により、電流が供給される発光グループが発光グループＬＥＤ１からＬＥＤ２に切り替えられる。
【００３３】
次に、時刻ｔ９において電源スイッチ１０４がオフされる。この場合、電源スイッチ１０４がオフされているオフ期間が十分に長いため、電圧Ｖ０の低下に伴い、電源電圧ＶＣＣも低下し、制御回路１１４も非動作状態となる。よって、時刻ｔ１０において電源スイッチ１０４がオンされた際には、制御回路１１４がリセットされる。これにより、予め定められた発光グループ（この例では発光グループＬＥＤ１）が点灯する。
【００３４】
このように、電源スイッチ１０４のオフ期間が十分に長い場合には、制御回路１１４がリセットされ、予め定められた発光グループが選択される。これにより、一つの電源スイッチ１０４に対して複数の照明器具１００が接続されている場合において、複数の照明器具１００において選択される発光グループが異なってしまった場合、ユーザは電源スイッチ１０４を一定時間以上オフすることで、複数の照明器具１００において選択される発光グループをそろえることができる。
【００３５】
［変形例１］
図３は、本実施の形態の変形例１に係る照明器具１００Ａの構成例を示す図である。図３に示す照明器具１００Ａでは、発光グループＬＥＤ１に含まれる発光素子１０２の直列数（直列接続されている発光素子１０２の数）が、発光グループＬＥＤ２に含まれる発光素子１０２の直列数より多い。また、スイッチング回路１１２Ａは、発光グループＬＥＤ２と直列に接続されるスイッチング素子Ｑ２のみを含む。つまり、発光グループＬＥＤ１には、スイッチング素子が直列接続されない。
【００３６】
この場合、スイッチング素子Ｑ２がオンする期間では、発光グループＬＥＤ１及びＬＥＤ２のうち、直列数が少ない、つまり順方向電圧が小さい発光グループＬＥＤ２にのみ電流が流れる。一方、スイッチング素子Ｑ２がオフする期間では、発光グループＬＥＤ１にのみ電流が流れる。
【００３７】
ここで、発光グループＬＥＤ１及びＬＥＤ２は発光素子１０２の数が異なるため発光光束（明るさ）が異なる。よって、発光グループＬＥＤ１及びＬＥＤ２の発光色を同じにすることで、段階調光を実現できる。また、発光グループＬＥＤ１及びＬＥＤ２の発光色を異ならせることで、光色切り替え、かつ段階調光を実現できる。
【００３８】
この構成により、図１に示す構成に対してスイッチング素子の数を減らすことができるので低コスト化を実現できる。
【００３９】
［変形例２］
図４は、本実施の形態の変形例２に係る照明器具１００Ｂの構成例を示す図である。図４に示す照明器具１００Ｂでは、発光グループＬＥＤ１と発光グループＬＥＤ２とは直列に接続される。また、スイッチング回路１１２Ｂは、発光グループＬＥＤ２と並列に接続されるスイッチング素子Ｑ２のみを含む。
【００４０】
この場合、スイッチング素子Ｑ２がオフする期間では、発光グループＬＥＤ１及びＬＥＤ２の両方に電流が流れる。一方、スイッチング素子Ｑ２がオンする期間では、発光グループＬＥＤ１にのみ電流が流れる。
【００４１】
よって、発光グループＬＥＤ１及びＬＥＤ２の発光色を同じにすることで、段階調光を実現できる。
【００４２】
［変形例３］
上記照明器具のいずれかは、順序回路を確実にリセットするためのパワーオンリセット回路（またはパワーオンプリセット回路）を備えてもよい。図５は、本実施の形態の変形例６に係る順序回路１１７Ｆ及びリセット回路１１８の構成例を示す図である。
【００４３】
リセット回路１１８は、順序回路１１７ＦのＶＣＣ端子とＣＬＲバー端子との間に接続された抵抗Ｒ及びダイオードＤと、ＣＬＲバー端子に接続されたコンデンサＣとを含む。
【００４４】
図６は、リセット回路１１８の動作を示す図である。抵抗Ｒ及びコンデンサＣの影響により、図６に示すように、ＣＬＲバー端子の電圧ＶＣＬＲは、ＶＣＣ端子の電圧ＶＣＣより遅れて立ち上がる。これにより、電源の立ち上がり時には、ＣＬＲバー端子がローレベルと判定されることで、順序回路１１７Ｆはリセットされる。
【００４５】
（実施の形態２）
本実施の形態では、上述した照明装置及び照明器具の実装形態について説明する。なお、以下では、図１に示す照明器具１００の実装形態について説明するが、上記変形例等で述べた照明器具についても同様の実装形態を適用できる。
【００４６】
［発光モジュール］
図７は、本実施の形態に係る発光モジュール１５０の構成例を示す図である。図７に示すように発光モジュール１５０は、上述した複数の発光素子１０２と、スイッチング回路１１２と、検出回路１１３と、制御回路１１４と、制御電源回路１１５とを含む。これらの構成要素は、単一の基板１５３に実装される。また、これらの構成要素は、直流電源回路１１１と異なる基板に実装される。
【００４７】
また、発光モジュール１５０は、直流電源回路１１１に接続され、直流電源回路１１１から電力（電流及び電圧）が供給される２つの入力端子（＋ｉｎ、−ｉｎ）を有する。
【００４８】
図８は、発光モジュール１５０をＣＯＢ（チップオンボード）のＬＥＤモジュールとして構成した場合の平面図である。また、図９は、図８におけるＸ−Ｘ面の断面図である。図８及び図９に示すように、発光モジュール１５０は、単一の基板１５３に実装された発光部１５１及び電子回路部品１５２を含む。発光部１５１は、基板１５３上に実装されたＬＥＤ等である複数の発光素子１０２と、複数の発光素子１０２を覆う蛍光体１５５とを含む。
【００４９】
電子回路部品１５２は、スイッチング回路１１２、検出回路１１３、制御回路１１４、及び制御電源回路１１５を含む切替制御回路を実現する。
【００５０】
このように、複数の発光素子１０２と切替制御回路とをモジュール化することにより、これらの発光素子１０２を含む回路部分の小型化を実現できる。
【００５１】
図１０は、発光素子１０２として、ＳＭＤ（表面実装部品）を用いた場合の発光モジュール１５０の平面図である。この構成により、発光素子１０２と電子回路部品１５２とを同じ実装方法で基板１５３に実装できるため、発光モジュール１５０の製造を簡略化できる。
【００５２】
［切替回路ブロック（発光制御装置）］
上記切替制御回路（スイッチング回路１１２、検出回路１１３、制御回路１１４、及び制御電源回路１１５）のみを個別の回路ブロック（切替回路ブロック）として実現してもよい。図１１は、切替回路ブロックに含まれる発光制御装置１６０の構成を示す図である。つまり、発光制御装置１６０（スイッチング回路１１２、検出回路１１３、制御回路１１４、及び制御電源回路１１５）は、単一の基板１６３に実装されるとともに、複数の発光素子１０２及び直流電源回路１１１とはそれぞれ異なる基板に実装される。
【００５３】
この発光制御装置１６０は、直流電源回路１１１と接続され、直流電源回路１１１から電力（電流及び電圧）が供給される２つの入力端子（＋ｉｎ、−ｉｎ）と、複数の発光素子１０２を含む光源モジュールに接続される３つの出力端子（＋ｏｕｔ、−ｏｕｔ１、−ｏｕｔ２）とを有する。
【００５４】
図１２は、直流電源回路１１１と、発光制御装置１６０（切替回路ブロック）との接続関係を示す図である。このように、切替制御回路のみを別個の回路ブロックとすることで、現存の直流電源回路１１１を変更することなく、そのまま利用可能である。また、この発光制御装置１６０を現存の照明器具に接続するだけで、上述した光源切替の機能を追加することができる。
【００５５】
図１３は、直流電源回路１１１と、発光制御装置１６０との接続例を示す図である。例えば、図１３に示すように、発光制御装置１６０が実装されている第２基板１６３は、直流電源回路１１１が実装されている第１基板１６２に設けられている基板対基板コネクタである接続部品１６１に接続される。
【００５６】
［発光ユニット］
発光制御装置１６０及び複数の発光素子１０２と、レンズ及び反射板などの光学部材とを一体化してもよい。図１４は、これらを一体化した発光ユニット１７０の外観を示す模式図である。図１４に示すように発光ユニット１７０は、発光制御装置１６０及び複数の発光素子１０２が収容される灯体１７５と、直流電源回路１１１に接続される接続部１７６とを備える。直流電源回路１１１から、接続部１７６を介して、発光制御装置１６０及び複数の発光素子に電力（電流及び電圧）が供給される。
【００５７】
図１５は、発光ユニット１７０の分解斜視図である。図１５に示すように、発光ユニット１７０は、ベース部材１７１と、発光制御装置１６０と、光源モジュール１７２と、反射板１７３と、レンズ１７４とを含む。
【００５８】
ベース部材１７１には、発光制御装置１６０と光源モジュール１７２とが取り付けされている。ベース部材１７１は、台座１７１Ａ及び１７１Ｂを含む。
【００５９】
光源モジュール１７２は、複数の発光素子１０２を含み、発光制御装置１６０に接続される。発光制御装置１６０は、光源モジュール１７２とは異なる基板に実装されている。
【００６０】
反射板１７３及びレンズ１７４は、ベース部材１７１に取り付けされる。レンズ１７４は、発光制御装置１６０及び光源モジュール１７２を覆う透光性のカバー部材の一例である。つまり、発光制御装置１６０及び光源モジュール１７２は、ベース部材１７１及びカバー部材により構成される灯体１７５の内部に設置される。
【００６１】
この場合においても、現存の直流電源回路１１１をそのまま利用可能である。つまり、発光制御装置１６０の有無により、光源切替機能の有無を切り替えることができるので、光源切替専用の直流電源回路１１１を用いる必要がない。よって、既設の発光ユニットを、光源切替に対応した光源ユニット１７０と交換することで、光源切替機能に対応した照明器具に容易に切り替えることができる。つまり、電源スイッチ１０４（壁スイッチ）及び直流電源回路１１１の変更が不要なので、これらに対する配線工事を行うことなく、光源切替機能の追加を実現できる。
【００６２】
なお、図１５では、互いに異なる基板に実装されている発光制御装置１６０及び光源モジュール１７２が用いられているが、上述した発光モジュール１５０が用いられてもよい。
【００６３】
［照明器具の一例］
図１６は、上記実施の形態で説明した照明器具１００等の外観図である。図１６は、照明器具１００をダウンライトに適用した例を示す。この照明器具１００は、回路ボックス１１、灯体１２及び配線１３を備える。
【００６４】
回路ボックス１１には、上記の照明装置１０１が格納され、灯体１２には、ＬＥＤ（発光素子１０２）が装着される。また、配線１３は、回路ボックス１１と灯体１２とを電気的に接続する配線である。
【００６５】
なお、照明器具１００は、スポットライト等の他の照明器具に適用してもよい。
【００６６】
［その他の変形例］
直流電源回路１１１は、調光動作を行ってもよい。つまり、直流電源回路１１１は、複数種類の定電流値のうちいずれかを選択的に出力してもよい。
【００６７】
各発光グループには１以上の発光素子１０２が含まれればよい。また、発光グループに複数の発光素子１０２が含まれる場合には、これは直列に接続されてもよいし、並列に接続されてもよいし、直列及び並列が組み合わされてもよい。
【００６８】
異なる発光グループが選択された場合に配光が異なってもよい。
【００６９】
検出回路１１３の構成は上記のように抵抗Ｒ５を用いた構成に限らない。例えば、調光動作を行う直流電源回路１１１を用いる場合には、小さい電流を検出するために抵抗Ｒ５の抵抗値を大きくする必要がある。例えば、検出回路１１３は、さらに、抵抗Ｒ５に並列接続されるダイオードを備えてもよい。これにより、小さい電流を検出可能となり、かつ、大きい電流が流れた場合の損失を低減できる。
【００７０】
上記では、直流電源回路１１１の出力電流を検出する構成を説明したが、直流電源回路１１１の出力電圧を検出してもよい。なお、上記のように電流を検出することで電圧を検出する場合に比べてその変化を高精度で検出できる。
【００７１】
制御回路１１４及び検出回路１１３は、マイコン、ＦＰＧＡ（Ｆｉｅｌｄ  Ｐｒｏｇｒａｍｍａｂｌｅ  Ｇａｔｅ  Ａｒｒａｙ）、又はＰＬＤ（Ｐｒｏｇｒａｍｍａｂｌｅ  Ｌｏｇｉｃ  Ｄｅｖｉｃｅ）等により構成されてもよい。
【００７２】
スイッチング素子はＭＯＳＦＥＴに限らない。例えば、スイッチング素子はバイポーラトランジスタ、ＩＧＢＴ（Ｉｎｓｕｌａｔｅｄ  Ｇａｔｅ  Ｂｉｐｏｌａｒ  Ｔｒａｎｓｉｓｔｏｒ）又はリレーなどであってもよい。
【００７３】
また、上記実施の形態に係る照明器具又は照明装置に含まれる処理部の少なくとも一部は典型的には集積回路であるＬＳＩとして実現される。これらは個別に１チップ化されてもよいし、一部又は全てを含むように１チップ化されてもよい。
【００７４】
また、回路図等における回路ブロックの分割は一例であり、複数の回路ブロックを一つの回路ブロックとして実現したり、一つの回路ブロックを複数に分割したり、一部の機能を他の回路ブロックに移してもよい。例えば、図１等において抵抗Ｒ８及びＲ９は、比較回路１１６に含まれてもよい。
【００７５】
また、上記回路図に示す回路構成は、一例であり、本発明は上記回路構成に限定されない。つまり、上記回路構成と同様に、本発明の特徴的な機能を実現できる回路も本発明に含まれる。例えば、上記回路構成と同様の機能を実現できる範囲で、ある素子に対して、直列又は並列に、スイッチング素子（トランジスタ）、抵抗素子、又は容量素子等の素子を接続したものも本発明に含まれる。言い換えると、上記実施の形態における「接続される」とは、２つの端子（ノード）が直接接続される場合に限定されるものではなく、同様の機能が実現できる範囲において、当該２つの端子（ノード）が、素子を介して接続される場合も含む。
【００７６】
また、ハイ／ローにより表される論理レベル又はオン／オフにより表されるスイッチング状態は、本発明を具体的に説明するために例示するものであり、例示された論理レベル又はスイッチング状態の異なる組み合わせにより、同等な結果を得ることも可能である。さらに、上で示した論理回路の構成は本発明を具体的に説明するために例示するものであり、異なる構成の論理回路により同等の入出力関係を実現することも可能である。
【００７７】
以上、一つまたは複数の態様に係る照明装置及び照明器具について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００７８】
１００  照明器具
１０２  発光素子
１０４  電源スイッチ
１１１  直流電源回路
１１２  スイッチング回路
１１３  検出回路
１１４  制御回路
１５０  発光モジュール
１６０  発光制御装置
１６１  接続部品
１６２  第１基板
１６３  第２基板
１７０  発光ユニット
１７１  ベース部材
１７４  レンズ（カバー部材）
【図１】
0006735512.tif 000002
【図２】
0006735512.tif 000003
【図３】
0006735512.tif 000004
【図４】
0006735512.tif 000005
【図５】
0006735512.tif 000006
【図６】
0006735512.tif 000007
【図７】
0006735512.tif 000008
【図８】
0006735512.tif 000009
【図９】
0006735512.tif 000010
【図１０】
0006735512.tif 000011
【図１１】
0006735512.tif 000012
【図１２】
0006735512.tif 000013
【図１３】
0006735512.tif 000014
【図１４】
0006735512.tif 000015
【図１５】
0006735512.tif 000016
【図１６】
0006735512.tif 000017